(57)【要約】【課題】パチンコ機の釘調整を容易に精度高く行うことができる板状ユニットを提供する。【解決手段】パチンコ機のガラスユニットに代えて装着される板状ユニット３２Ｔを設け、板状ユニット３２Ｔを、前記ガラスユニットのガラスユニット本体と同形状の釘調整用のガラスユニット本体３４Ｔと、ガラスユニット本体３４Ｔに装着される透明の３枚の板部材２０とから構成し、各板部材２０はガラスユニット本体３４Ｔに選択的に取付けられる。板部材２０には釘の頭部の調整位置を示す黒丸マーク２８が付されている。板状ユニット３２Ｔに装着する板部材２０の黒丸マーク２８と、調整すべき釘の頭部の位置とを照らし合わせ、位置を確認した上で釘の頭部を移動させることができる。このため、未熟練者にも釘の調整を精度高くかつ容易に行うことができる。【選択図】        図４
2004154467.tif 000002
【特許請求の範囲】
【請求項１】
枠状部材及び該枠状部材に装着される板部材を有する板状ユニットであって、前記板部材に、パチンコ機の遊技盤の盤面部に立てられる釘の頭部の調整位置を示す調整位置表示部を設けたことを特徴とする板状ユニット。
【請求項２】
前記板状ユニットは、前記パチンコ機のガラスユニットに代えて前記パチンコ機に着脱自在に装着されることを特徴とする請求項１記載の板状ユニット。
【請求項３】
前記ガラスユニットは、ガラスと該ガラスを装着する枠状のガラスユニット本体とからなり、前記枠状部材は、前記ガラスユニット本体と同形状をなすことを特徴とする請求項２記載の板状ユニット。
【請求項４】
前記板部材は、光透過部材からなり、調整位置表示部は、目視可能のマークであることを特徴とする請求項１から３までのいずれかに記載の板状ユニット。
【請求項５】
前記板部材は、光非透過部材からなり、調整位置表示部は、孔であることを特徴とする請求項１から３までのいずれかに記載の板状ユニット。
【請求項６】
前記板部材は、前記枠状部材に着脱可能に装着されることを特徴とする請求項１から５までのいずれかに記載の板状ユニット。
【請求項７】
前記板部材は、出玉率に応じて前記調整位置表示部を配置した異なる種類の複数枚からなることを特徴とする請求項６に記載の板状ユニット。
【発明の詳細な説明】
【０００１】
【発明の属する技術分野】
本発明は、パチンコ機の遊技盤に立てられた釘の調整に用いられる板状ユニットに関する。
【０００２】
【従来の技術】
パチンコ機は、遊技盤の盤面に立てられる釘の調整によって出玉率（入賞度合い）が大きく左右される。出玉率によっては、客の入りが大きく変わりパチンコホールの売上に大きく影響する。そして、遊技者とパチンコホールとのバランスを図るため、いわゆる釘師といわれる釘調整者によって釘調整が行われ、個々のパチンコ機における出玉率を設定するのが一般的である。このような釘調整の方法の一例として、釘調整指示用紙に、出玉率をどの程度にするか、又は隣接する釘の間の距離をどのくらいにするか等の指示データを記載しておき、釘調整者がその釘調整指示用紙の内容を確認し、例えばゲージを用いて、勘や経験によって釘の角度等を変えて行う方法（特許文献１参照）がある。
【０００３】
【特許文献１】
特開２０００−３４２７６６号公報
【０００４】
【発明が解決しようとする課題】
しかし、上述した従来技術では、勘や経験によって釘調整をおこなうため、目標の出玉率に対してバラツキが生じやすい。また、釘調整は釘師のような熟練技術者だけなく、未熟練者が行うこともたびたびあり、この場合、前記バラツキはさらに大きくなる。
本発明は、上記事情に鑑みてなされたもので、パチンコ機の釘調整を容易に精度高く行うことができる板状ユニットを提供することを目的とする。
【０００５】
【課題を解決するための手段】
請求項１記載に係る発明は、枠状部材及び該枠状部材に装着される板部材を有する板状ユニットであって、前記板部材に、パチンコ機の遊技盤の盤面部に立てられる釘の頭部の調整位置を示す調整位置表示部を設けたことを特徴とする。
請求項２記載の発明は、請求項１記載の構成において、前記板状ユニットは、前記パチンコ機のガラスユニットに代えて前記パチンコ機に着脱自在に装着されることを特徴とする。
請求項３記載の発明は、請求項２記載の構成において、前記ガラスユニットは、ガラスと該ガラスを装着する枠状のガラスユニット本体とからなり、前記枠状部材は、前記ガラスユニット本体と同形状をなすことを特徴とする。
【０００６】
請求項４記載の発明は、請求項１から３までのいずれかに記載の構成において、前記板部材は、光透過部材からなり、調整位置表示部は、目視可能のマークであることを特徴とする。
請求項５記載の発明は、請求項１から３までのいずれかに記載の構成において、前記板部材は、光非透過部材からなり、調整位置表示部は、孔であることを特徴とする。
請求項６記載の発明は、請求項１から５までのいずれかに記載の構成において、前記板部材は、前記枠状部材に着脱可能に装着されることを特徴とする。
請求項７記載の発明は、請求項６に記載の構成において、前記板部材は、出玉率に応じて前記調整位置表示部を配置した異なる種類の複数枚からなることを特徴とする。
【０００７】
【発明の実施の形態】
本発明の一実施の形態を図１ないし図６に基づいて説明する。図１ないし図３において、パチンコ機１は、外枠２と、外枠２に上下のヒンジ機構２５，２６を介して開閉自在に装着される内枠３とを備えている。内枠３の上部側には窓部４が形成されておりその窓部４には、遊技盤５が着脱自在に納められている。さらに、内枠３の上部側には、ガラス枠セット３０が開閉自在に蝶着されている。
ガラス枠セット３０は、内枠３に回動可能に支持されるガラス枠３１と、このガラス枠３１に着脱かつ回動可能に装着されるガラスユニット３２とからなっている。ガラス枠３１には、遊技盤５のベニヤ板からなる盤面部６に形成される遊技領域にほぼ沿う形状の窓（以下、ガラス枠窓という。）３３が形成されている。
ガラスユニット３２は、ガラス枠３１を開いた状態で盤面部６に対して開閉可能で、かつ閉状態で後述する裏側ガラス３６が盤面部６に所定距離を空けて対面するようになっている。
【０００８】
ガラスユニット３２は、枠状のガラスユニット本体３４と、ガラスユニット本体３４に互いに対面して（すなわち２層となって）嵌め込まれる同等形状の２枚のガラス３５，３６と、から大略構成されている。以下、２枚のガラス３５，３６のうち、遊技者側のガラスを表側ガラス３５といい、遊技盤５側のガラスを裏側ガラス３６という。
ガラスユニット本体３４は、図３左右方向に延びる底辺枠部３７と、底辺枠部３７の左右両端にそれぞれ直交して連接する左側、右側枠部３８，３９と、略弓状をなして両端側が左側、右側枠部３８，３９に連接する上辺枠部４０と、から大略構成されており、正面視略かまぼこ状をなしている。
【０００９】
ガラスユニット本体３４の内周壁４１における奥行方向（図３の紙面の表裏方向）の中央部分には、内方に突出する環状凸部４２が形成されている。そして、ガラスユニット本体３４における環状凸部４２より手前側部分の枠状の部分（以下、ユニット本体前側枠部という。）４３に前記表側ガラス３５が嵌め込まれて接着されるようになっている。また、ガラスユニット本体３４における環状凸部４２より向う側部分の枠状の部分（以下、ユニット本体後側枠部という。）４４に前記後側ガラス３６が嵌め込まれて接着されるようになっている。
【００１０】
ガラスユニット本体３４の左側枠部３８の上側、下側部分には、外方向に突出する上側、下側突起部４５，４６が設けられている。上側、下側突起部４５，４６には、それぞれ下方に向けて延びる上側、下側ピン４７，４８が取付けられている。上側、下側ピン４７，４８は、ガラス枠３１に設けられる図示しない支持用穴部に回動可能に挿入され、これによりガラスユニット３２がガラス枠３１に回動可能とされている。また、上側、下側ピン４７，４８が前記支持用穴部に挿入された状態でガラスユニット３２を上方に持ち上げることにより、ガラスユニット３２は、ガラス枠３１から取り外せるようになっている。
【００１１】
前記遊技盤５の盤面部６の中央には、図柄変動装置（以下、第１役物という。
）１１が設けられ、第１役物１１の左右には左右第２役物１２，１２が設けられ、第１役物１１の下側、さらにその下側には、この順に入賞装置（以下、第３役物という。）１３、特別入賞装置（以下、第４役物という。）１４が設けられている。また、盤面部６には多数本の釘１５が立てられている。さらに、盤面部６には風車２７及びその他の各種遊技部品が装着されている。
【００１２】
このパチンコ機１は、ガラスユニット３２に対応して設けられる板状ユニット３２Ｔを用いて釘１５の調整を行うようにしている。
板状ユニット３２Ｔは、前記ガラスユニット３２のガラスユニット本体３４と同形状の釘調整用の板状ユニット本体（枠状部材）３４Ｔと、板状ユニット本体３４Ｔに着脱可能に装着されるアクリル製で透明の板部材２０とからなっている。
【００１３】
なお、板状ユニット本体３４Ｔは、ガラスユニット本体３４と別部材であるが、同等形状であることから、以下、便宜上、底辺枠部３７、左側、右側枠部３８，３９、上辺枠部４０などの各部分を示す符号は、同一の符号を用いる。
前記板部材２０の板状ユニット本体３４Ｔへの装着は、前記裏側ガラス３６と同様にユニット本体後側枠部４４に嵌め込んで行われる。
【００１４】
板状ユニット３２Ｔは、ガラスユニット３２と同様に、上側、下側ピン４７，４８をガラス枠３１の前記支持用穴部に回動可能に挿入して、ガラス枠３１に装着される。また、板状ユニット３２Ｔを上方に持ち上げることにより、板状ユニット３２Ｔはガラスユニット３２と同様にガラス枠３１から取り外せるようになっている。
【００１５】
板状ユニット３２Ｔの板状ユニット本体３４Ｔに板部材２０を取付け、板状ユニット３２Ｔをガラス枠３１に装着して閉じると、板部材２０が裏側ガラス３６と同様に盤面部６に所定距離を空けて対面するようになっている。そして、板部材２０は、上述したように所定距離を空けて盤面部６と対面していることにより、第１〜第４役物１１〜１４及び遊技部品に接しておらず、また釘１５の頭部１５ａに近接したものとなっている。
【００１６】
板部材２０は３枚用意されており、３枚の板部材２０は何れも同等形状であり、板状ユニット本体３４Ｔに選択的に取付けて用いられる。
各板部材２０には、釘１５の頭部１５ａの基準位置（例えばメーカからホールへの出荷時点における位置）を示すリング状の丸（○）のマーク（以下、白丸マークという。）と、釘１５の頭部１５ａの調整位置を示す黒丸（●）のマーク（調整位置表示部。以下、黒丸マークという。）２８と、遊技盤５の風車２７に対応して設けた風車マークと、が印刷されている。
【００１７】
黒丸マーク２８は、出玉率に関係する所定の部分の釘１５に対応して設けられている。各板部材２０は、前記黒丸マーク２８を、あらかじめ想定される３種類の出玉率に対応して異なるように配置している。ここでは、３種類の出玉率は、平常の値、大きい値、小さい値とされ、これらに対応する板部材２０を、以下、平常調整用板部材２０ａ（図５）、甘い調整用板部材２０ｂ（図７）、辛い調整用板部材２０ｃ（図８）という。なお、平常調整用、甘い調整用、辛い調整用板部材２０ａ，２０ｂ，２０ｃを、以下、適宜、板部材２０と総称する。
【００１８】
平常調整用板部材２０ａは、図５に示すように、第３役物１３の真上にある２本の釘１５の頭部１５ａに対応する黒丸マーク２８の間隔が、基準間隔（前記出荷時点における間隔）に比してわずかに広く設定されている。
甘い調整用板部材２０ｂは、図７に示すように、第３役物１３の真上にある２本の釘１５の頭部１５ａに対応する黒丸マーク２８の間隔が、平常調整用板部材２０ａの場合に比してさらに広く設定されている。さらに、この甘い調整用板部材２０ｂにおいては、前記黒丸マーク２８は例えば入賞口への流路が拡大する位置になるように設けられ、後述するように釘１５の頭部１５ａを前記黒丸マーク２８に対応した位置に移動させることにより出玉率を高くできるようにしている。
【００１９】
辛い調整用板部材２０ｃは、図８に示すように、第３役物１３の真上にある２本の釘１５の頭部１５ａに対応する黒丸マーク２８の間隔が、前記基準間隔に比してわずかに狭く設定されている。さらに、この辛い調整用板部材２０ｃにおいては、前記黒丸マーク２８は例えば入賞口への流路が狭くなる位置になるように設けられ、釘１５の頭部１５ａを前記黒丸マーク２８に対応した位置に移動させることにより出玉率を低くできるようにしている。
【００２０】
そして、前記パチンコ機１の釘１５を調整する場合、まず、３枚の板部材２０（平常調整用、甘い調整用、辛い調整用板部材２０ａ，２０ｂ，２０ｃ）のうち、設定すべき出玉率に相当する板部材２０（ここでは、平常調整用板部材２０ａを例にする。）を選択する。
次に、パチンコ機のガラス枠セット３０を開いて、このガラス枠セット３０のガラスユニット３２をガラス枠３１から外す。
そして、前記選択した平常調整用板部材２０ａを、板状ユニット３２Ｔの板状ユニット本体３４Ｔに取付け、平常調整用板部材２０ａを取付けた板状ユニット３２Ｔをガラス枠３１に装着する。次に、板状ユニット３２Ｔを回動して板状ユニット３２Ｔひいては平常調整用板部材２０ａを遊技者側に向けて露出されている遊技盤の盤面部６に対面させる。
【００２１】
次に、板部材２０を通して正面から盤面部６を見て、２つの黒丸マーク２８のうち一方（例えば図５右側）の黒丸マーク２８とこれに対応する釘１５の頭部１５ａの位置を確認する。そして、釘１５の頭部１５ａが図５右側の黒丸マーク２８と一致していない場合、板状ユニット３２Ｔを開いて盤面部６を露出させ、前記図５右側の黒丸マーク２８に対応する釘１５の頭部１５ａに対して、ゲージなどにより図５の矢印方向に力を加え、図６に示すように図６右側の黒丸マーク２８（図５右側の黒丸マーク２８と同じ）と一致させる。
なお、図５では矢印を示しているが、これは釘１５の頭部１５ａの移動方法を説明するために記載したものであり、板部材２０には付されてはいない。しかし、板部材２０に前記矢印を印刷するように構成してもよい。
【００２２】
次に、図５右側の黒丸マーク２８と同様にして、図５左側の黒丸マーク２８に対応する釘１５の頭を図６に示すように図６左側の黒丸マーク２８（図５左側の黒丸マーク２８と同じ）と一致させる。
上述した釘１５の頭部１５ａの移動が終了すると、板状ユニット３２Ｔをガラス枠３１から外し、平常調整用板部材２０ａによる釘１５の調整は終了する。
前記甘い調整用、辛い調整用板部材２０ｂ，２０ｃによる釘１５の調整も上述した平常調整用板部材２０ａの場合と同様に、板状ユニット３２Ｔの板状ユニット本体３４Ｔに取付けて行われる。
【００２３】
この実施の形態の釘調整方法によれば、調整すべき釘１５の頭部１５ａの位置を黒丸マーク２８と照らし合わせ、位置を確認した上で、釘１５の頭部１５ａを移動させることができる。このため、熟練者はもちろん未熟練者にも釘１５の調整を精度高くかつ容易に行うことができる。
板状ユニット３２Ｔを開いて釘１５の頭部１５ａの移動を行う一方、板状ユニット３２Ｔを回動して閉じることにより、板部材２０が盤面部６に対面して黒丸マーク２８と釘１５の頭部１５ａの位置を確認することができるので、黒丸マーク２８と釘１５の頭部１５ａとの位置照合を迅速かつ容易に果たすことができる。このため、釘１５の頭部１５ａを一度移動した段階では釘１５の頭部１５ａが黒丸マーク２８に一致していない場合にも、釘１５の頭部１５ａの位置を容易に確認して再度、釘１５の頭部１５ａを移動し、これにより所望の位置（黒丸マーク２８に対応する位置）に釘１５の頭部１５ａを移動することが可能であり、その分、作業性が向上する。
【００２４】
上記実施の形態では、出玉率がそれぞれ平常の値、大きい値、小さい値とされるようにして黒丸マーク２８（調整位置表示部）を設けた平常調整用、甘い調整用、辛い調整用板部材２０ａ，２０ｂ，２０ｃを用意しているので、出玉率に応じた釘１５の調整を選択的に行うことができる。本実施の形態では、３枚の板部材２０を用いる場合を例にしたが、出玉率に応じて４枚以上の板部材２０を用意するようにしてもよい。なお、板部材２０は２枚であっても、１枚であってもよい。
【００２５】
なお、上記実施の形態では、調整位置表示部が黒丸マーク２８である場合を例にしたがこれに限らず、黒丸と異なる形状、色を用いた他のマークで構成してもよい。
また、上記実施の形態では、板部材２０が透明部材からなる場合を例にしたが、これに代えて半透明部材（光透過部材）から構成してもよい。また、アクリル製に限らず、他の材料で構成してもよい。
また、板部材２０について光を透過しない部材（光非透過部材）で構成してもよい。この場合、上記実施の形態における黒丸マーク２８に相当する部分に孔を形成したり、当該部分を光透過部材で構成する。そして、前記孔又は光透過部材を調整位置表示部として用いるようにする。
【００２６】
上記実施の形態では、板部材２０を板状ユニット本体３４Ｔのユニット本体後側枠部４４に嵌め込んで装着する場合を例にしたが、板部材２０をユニット本体前側枠部４３に嵌め込んで装着するようにしてもよい。また、上記実施の形態では、ガラスユニット３２が２枚のガラスを装着する場合を例にしたが、これに限らず、１枚のガラス又は３枚以上のガラスを装着するようにしたガラスユニットに対して本発明を用いるようにしてもよい。
【００２７】
上記実施の形態では、釘調整に際して、板状ユニット３２Ｔをガラスユニット３２に代えてガラス枠３１（ひいてはパチンコ機１）に装着させる場合を例にしたが、これに限らず、釘調整に際して、ガラスユニット３２に代えることなく（板状ユニット３２Ｔをガラス枠３１に装着した状態、又は装着しない状態で）、板状ユニット３２Ｔを遊技盤５の盤面部６に対面させて装着するようにしてもよい。
また、上記実施の形態では、板状ユニット３２Ｔの板状ユニット本体（枠状部材）３４Ｔは、前記ガラスユニット３２のガラスユニット本体３４と同形状である。このため、ガラスユニット３２に代えて板状ユニット３２Ｔをガラス枠３１へ装着することを容易に果すことができる。また、板状ユニット本体３４Ｔ及びガラスユニット本体３４を共通に作製することができ、その分、生産効率が向上する。
【００２８】
【発明の効果】
請求項１から７までのいずれかに記載の板状ユニットに係る発明によれば、釘の頭部の位置調整を行う場合、板状ユニットをパチンコ機に装着し、この板状ユニットに装着する板部材の調整位置表示部と、調整すべき釘の頭部の位置とを照らし合わせ、位置を確認した上で、釘の頭部を移動させることができる。このため、熟練者はもちろん未熟練者にも釘の調整を精度高くかつ容易に行うことができる。
請求項２に記載の板状ユニットに係る発明によれば、ガラスユニットに代えて板状ユニットをパチンコ機に装着して、釘の頭部の位置調整を行うことができる。
【図面の簡単な説明】
【図１】本発明の一実施の形態に係る板状ユニットが用いられるパチンコ機を示す正面図である。
【図２】図１のパチンコ機のガラス枠及びガラスユニットを開いた状態を模式的に示す斜視図である。
【図３】図２のガラスユニットを示す分解斜視図である。
【図４】本発明の一実施の形態に係る板状ユニットを示す分解斜視図である。
【図５】本発明の一実施の形態に係る板状ユニットの平常調整用板部材を模式的に示す平面図である。
【図６】図５の平常調整用板部材による釘の頭部の移動例を模式的に示す断面図である。
【図７】本発明の一実施の形態に係る板状ユニットの甘い調整用板部材を模式的に示す平面図である。
【図８】本発明の一実施の形態に係る板状ユニットの辛い調整用板部材を模式的に示す平面図である。
【符号の説明】
６    盤面部
１５    釘
１５ａ  釘の頭部
２０  板部材
２８  黒丸マーク（調整位置表示部）
３２Ｔ  板状ユニット
３４Ｔ  板状ユニット本体（枠状部材）
【図１】
2004154467.tif 000003
【図２】
2004154467.tif 000004
【図３】
2004154467.tif 000005
【図４】
2004154467.tif 000006
【図５】
2004154467.tif 000007
【図６】
2004154467.tif 000008
【図７】
2004154467.tif 000009
【図８】
2004154467.tif 000010